(57)【要約】【課題】回転駆動源にかかる負荷を減らせる可動役物を備えたパチンコ機を提供する。【解決手段】本発明に係るパチンコ機の可動役物は、モータ４５の出力軸に挿入された基部４８であって、前記基部の受け側と前記回転軸との間にクリアランスを有する基部４８と、基部に設けられた一線状の収容溝であって、前記収容溝の一端近傍が第２のリング状摺動溝４８ｄの外周より内側に設けられた収容溝と、発光する導光部材４９の基端側が収容溝に収容された導光部材と、第１のリング状摺動溝及び第３のリング状摺動溝５２ａ内に挿入された第１の摺動リング５８と、第２のリング状摺動溝４８ｄ及び第４のリング状摺動溝内に挿入された第２の摺動リング６０と、を具備し、基部４８は、前記回転軸に対して回転可能となるように、第１の保持部材５２に第１の摺動リング５８によって保持され、且つ第２の保持部材５３に第２の摺動リング６０によって保持される。【選択図】      図６
2008295627.tif 000002
【特許請求の範囲】
【請求項１】
可動役物を備えたパチンコ機において、
前記可動役物は、
回転駆動源に取り付けられた回転軸と、
前記回転軸に挿入された基部であって、前記基部の受け側と前記回転軸との間にクリアランスを有する基部と、
前記基部の一端面で且つ前記回転軸に対して垂直面に沿って設けられた第１のリング状摺動溝と、
前記基部の他端面で且つ前記回転軸に対して垂直面に沿って設けられた第２のリング状摺動溝と、
前記基部の前記他端面に設けられた一線状の収容溝であって、前記収容溝の一端近傍が前記第２のリング状摺動溝の外周より内側に設けられた収容溝と、
前記収容溝に収容された光源と、
前記収容溝に収容され、前記光源から発せられる光を長手方向に導くことで発光する導光部材であって、前記導光部材の基端側が前記収容溝に収容され、前記長手方向が前記回転軸に対して垂直面と平行になるように配置された導光部材と、
前記第１のリング状摺動溝に対向して且つ沿うように設けられた第３のリング状摺動溝を有する第１の保持部材と、
前記第２のリング状摺動溝に対向して且つ沿うように設けられた第４のリング状摺動溝を有する第２の保持部材と、
前記第１のリング状摺動溝内に一方端側が挿入され、前記第３のリング状摺動溝内に他方端側が挿入された第１の摺動リングと、
前記第２のリング状摺動溝内に一方端側が挿入され、前記第４のリング状摺動溝内に他方端側が挿入された第２の摺動リングと、を具備し、
前記基部は、前記回転軸に対して回転可能となるように、前記第１の保持部材に前記第１の摺動リングによって保持されるとともに前記第２の保持部材に前記第２の摺動リングによって保持されることを特徴とするパチンコ機。
【発明の詳細な説明】
【技術分野】
【０００１】
本発明は、回転駆動源にかかる負荷を減らすことができる可動役物を備えたパチンコ機に関する。
【背景技術】
【０００２】
従来のパチンコ機は、モータの駆動力を受けて、回転軸を中心に回転するハンマを模した可動役物を有している。詳細には、モータの回転力は、モータの回転軸に嵌合している第１のギアに伝えられ、さらに、第１のギアと噛み合う第２のギアに伝えられ、第２のギアが嵌合している回転軸の端部には、第２のギアの回転方向と同じ方向にハンマが回転するように、回転軸の軸方向に対して鉛直となる方向に、ハンマのアームが嵌合されている。これにより、モータの回転力によってハンマが回転する（例えば特許文献１参照）。
【０００３】
【特許文献１】特開２００６−０３４６２６（００７３〜００７４段落、図３）
【発明の開示】
【発明が解決しようとする課題】
【０００４】
ところで、上述した従来のパチンコ機のハンマを模した可動役物では、回転軸の一方端にハンマのアームを嵌合し、回転軸の他方端にモータの回転力を伝達する第２のギアを嵌合しているため、回転軸にハンマの重量がかかって、回転軸が傾斜することがある。その結果、モータなどの回転駆動源に負荷がかかるという課題があった。
【０００５】
本発明は上記のような事情を考慮してなされたものであり、その目的は、回転駆動源にかかる負荷を減らすことができる可動役物を備えたパチンコ機を提供することにある。
【課題を解決するための手段】
【０００６】
本発明に係るパチンコ機は、可動役物を備えたパチンコ機において、前記可動役物は、回転駆動源に取り付けられた回転軸と、前記回転軸に挿入された基部であって、前記基部の受け側と前記回転軸との間にクリアランスを有する基部と、前記基部の一端面で且つ前記回転軸に対して垂直面に沿って設けられた第１のリング状摺動溝と、前記基部の他端面で且つ前記回転軸に対して垂直面に沿って設けられた第２のリング状摺動溝と、前記基部の前記他端面に設けられた一線状の収容溝であって、前記収容溝の一端近傍が前記第２のリング状摺動溝の外周より内側に設けられた収容溝と、前記収容溝に収容された光源と、前記収容溝に収容され、前記光源から発せられる光を長手方向に導くことで発光する導光部材であって、前記導光部材の基端側が前記収容溝に収容され、前記長手方向が前記回転軸に対して垂直面と平行になるように配置された導光部材と、前記第１のリング状摺動溝に対向して且つ沿うように設けられた第３のリング状摺動溝を有する第１の保持部材と、前記第２のリング状摺動溝に対向して且つ沿うように設けられた第４のリング状摺動溝を有する第２の保持部材と、前記第１のリング状摺動溝内に一方端側が挿入され、前記第３のリング状摺動溝内に他方端側が挿入された第１の摺動リングと、前記第２のリング状摺動溝内に一方端側が挿入され、前記第４のリング状摺動溝内に他方端側が挿入された第２の摺動リングと、を具備し、前記基部は、前記回転軸に対して回転可能となるように、前記第１の保持部材に前記第１の摺動リングによって保持されるとともに前記第２の保持部材に前記第２の摺動リングによって保持されることを特徴とする。
【０００７】
上記パチンコ機によれば、基部を、第１及び第２の保持部材に第１及び第２の摺動リングによって保持することにより、従来技術に比べて回転駆動源にかかる負荷を低減することができる。
【発明を実施するための最良の形態】
【０００８】
以下、図面を参照して本発明の実施の形態について説明する。
１．パチンコ機の機械的構成および電気的構成について
図１は、本発明の実施の形態による遊技盤を示す前面図である。図２は、図１に示す遊技盤の可動役物を取り付けた部分を拡大した図である。図３は、本発明の実施の形態による遊技機の全体構成を示す前面図である。図４は、本発明の実施の形態による遊技機の全体構成を示す後面図である。図３に示す左方向の矢印は遊技盤の正面に向かって左方向を示す記載であり、図４に示す右方向の矢印は遊技盤の正面に向かって右方向を示す記載である。
パチンコホールの台島には、図３および図４に示すように、外枠１が設置されている。この外枠１は前後面が開口する四角筒状をなすものであり、外枠１の前端面には前枠２が左側辺部の垂直な軸を中心に回動可能に装着されている。この前枠２の前面には、下端部に位置して横長な長方形状の下皿板３が固定されており、下皿板３の前面には上面が開口する下皿４が固定されている。また、前枠２の前面には下皿板３の上方に位置して上皿板５が装着されており、上皿板５の前面には上面が開口する上皿６が固定されている。この上皿板５の後面には右端部に位置してスピーカ７が固定されており、スピーカ７の駆動時にはスピーカ７から前方の遊技者に遊技音が出力される。
【０００９】
下皿板３の前面には右端部に位置してハンドル台８が固定されており、ハンドル台８には発射ハンドル９が前後方向へ延びる水平な軸を中心に回動可能に装着されている。この発射ハンドル９の後方には、図４に示すように、発射モータ１０が固定されており、発射モータ１０の回転軸には、図３に示すように、打球槌１１が連結されている。この発射モータ１０は打球槌１１の駆動源に相当するものであり、発射ハンドル９が図３の時計回り方向へ回動操作されたときには発射モータ１０に駆動電源が与えられ、打球槌１１が駆動することに基づいて上皿６内のパチンコ球を上皿６内から弾き出す。
【００１０】
前枠２の前面には、図３に示すように、矩形状の窓枠１２が左側辺部の垂直な軸を中心に回動可能に装着されており、窓枠１２の内周面には透明なガラス窓１３が固定されている。また、前枠２の後面には額縁状の機構盤が固定されている。この機構盤には正方形状の遊技盤１４（図１参照）が着脱可能に装着されており、遊技盤１４は窓枠１２のガラス窓１３により前方から覆われている。
【００１１】
遊技盤１４の前面には、図１に示すように、外レール１５および内レール１６が固定されている。これら外レール１５および内レール１６間には左側部に位置して発射通路１７が形成されており、打球槌１１が弾いたパチンコ球は発射通路１７内を通って上昇する。また、遊技盤１４には遊技領域１８が形成されており、遊技領域１８内には複数の障害釘１９が打込まれている。この遊技領域１８は外レール１５および内レール１６によって囲まれた円形領域（発射通路１７を除く残余領域）を称するものであり、発射通路１７内を上昇するパチンコ球は発射通路１７の出口２０から遊技領域１８内に放出され、障害釘１９に当りながら遊技領域１８内を落下する。即ち、遊技領域１８は発射通路１７の出口２０から放出されたパチンコ球が転動可能な最大範囲である転動領域に相当する。
【００１２】
窓枠１２には、図３に示すように、ガラス窓１３の外周部に位置して複数のランプカバー２１が固定されており、各ランプカバー２１の後方には複数のＬＥＤ２２が配置されている。これら各ＬＥＤ２２は窓枠２１に固定されたものであり、各ランプカバー２１は後方のＬＥＤ２２が発光することに基づいて照明される。ガラス窓１３の下方には、操作スイッチ７８が設けられている。この操作スイッチ７８は、図３に示すように、上皿６に前方から操作可能に固定された自己復帰形のプッシュスイッチからなるものである。
【００１３】
遊技盤１４の前面には、図１に示すように、遊技領域１８内に位置する図柄表示装置２３が設けられている。この図柄表示装置２３には、遊技情報などの映像が映し出される表示器２５（例えば、ＬＣＤなど）が備えられている。さらに、かかる図柄表示装置２３には、図２に示す可動役物２４が設けられている。尚、図２は、図１に示す遊技盤１４の可動役物を取り付けた部分を拡大した図であって可動役物が可動した状態を示す図である。図１では、遊技盤を正面から見た場合、可動役物が装飾物によって隠れた状態となっている。
この可動役物２４は、その上方に板状の突起物が設けられており、遊技盤１４（図１〜図３参照）を落下転動するパチンコ球が衝突することが殆どないので、パチンコ球の落下転動とは無関係の遊技上の装飾物である。
【００１４】
図柄表示装置２３の後面には図柄基板ケースが固定されており、図柄基板ケース内には図５に示す図柄制御基板３０が収納されている。この図柄制御基板３０には、図柄表示制御手段に相当する図柄表示制御用ＣＰＵ３１や、図柄表示制御用ＲＯＭ３２、図柄表示制御用ＲＡＭ３３、入力・出力ポート３４、ＶＤＰ３５などが搭載されており、図柄表示制御用ＣＰＵ３１は、図柄表示制御用ＲＯＭ３２及び図柄表示制御用ＲＡＭ３３などに記憶された制御方法その他の技術情報に基づいて、ＶＤＰ３５に接続された表示器２５（図１参照）の表示内容を制御する。
【００１５】
遊技盤１４の遊技領域１８内には、図１に示すように、上面が開口するポケット状の始動口２６が設けられている。また、遊技領域１８内には、始動口２６の下方に位置して前面が開口する四角筒状の大入賞口２７が設けられている。
【００１６】
遊技盤１４の後面には、図４に示すように、センタカバー４１が着脱可能に装着されている。このセンタカバー４１は前面が開口する容器状をなすものであり、図柄表示装置２３および図柄基板ケースは後方からセンタカバー４１によって覆われている。
【００１７】
前枠２の後面には、メインセット５４が着脱可能に装着されている。このメインセット５４はセンタカバー４１を囲う矩形枠状をなすものであり、センタカバー４１はメインセット５４の内周部に収納されている。このメインセット５４の後面には上端部に位置して球タンク５５が固定されており、球タンク５５内にはパチンコ球が貯溜されている。また、メインセット５４の後面にはタンクレール５６が固定されている。このタンクレール５６は傾斜樋状をなすものであり、タンクレール５６の右端部は球タンク５５内に接続されている。
【００１８】
メインセット５４の左側部には賞球払出装置５７が着脱可能に装着されている。この賞球払出装置５７は、パチンコ球が始動口２６内および大入賞口２７内に入賞することに基づいてパチンコ球を賞品球として放出する。
【００１９】
メインセット５４の後面には、図４に示すように、メイン基板ケース５９の前方に位置して払出基板ケース６６が固定されている。
【００２０】
また、メインセット５４の後面には、図４に示すように、センタカバー４１の下方に位置してメイン基板ケース５９が固定されている。このメイン基板ケース５９内には、図５に示すようにメイン制御基板２８が収納されており、メイン制御基板２８には、当落判定手段、可変情報選択手段などのメイン制御手段に相当するメイン制御用ＣＰＵ２９や、メイン制御用ＲＯＭ３６、メイン制御用ＲＡＭ３７、入力・出力ポート３８などが搭載されている。メイン制御基板２８には図柄制御基板３０が電気的に接続されており、図柄制御基板３０には可動役物制御基板４０が電気的に接続されている。
【００２１】
また、可動役物制御基板４０には、可動役物制御手段に相当する可動役物制御用ＣＰＵ３９や、可動役物制御用ＲＯＭ４２、可動役物制御用ＲＡＭ４３、入力・出力ポート４４、などが搭載されており、可動役物制御用ＣＰＵ３９は、可動役物制御用ＲＯＭ４２及び可動役物制御用ＲＡＭ４３などに記憶された制御方法その他の技術情報に基づいて、入力・出力ポート４４に接続された可動役物２４（図２参照）の動作内容を制御する。
【００２２】
さらに、図５のブロック図においては、３つの入力・出力ポート３８，３４，４４を介して、メイン制御用ＣＰＵ２９と、図柄表示制御用ＣＰＵ３１、可動役物制御用ＣＰＵ３９がそれぞれ接続されている。従って、メイン制御用ＣＰＵ２９は、図柄表示制御用ＣＰＵ３１及び可動役物制御用ＣＰＵ３９を介して、表示器２５の表示内容に合わせて可動役物２４の動作内容を制御することができる。
【００２３】
２．パチンコ機の遊技機能について
遊技者が上皿６内にパチンコ球を投入して発射ハンドル９を時計回り方向へ回動操作すると、遊技盤１４内にパチンコ球が発射され、障害釘１９に当りながら落下する。このパチンコ球が始動口２６内に入賞すると、賞球払出装置５７から設定個数のパチンコ球が上皿６内に賞品球として払出されるとともに、図柄遊技が開始される。この後、図柄遊技中に可動役物２４が動作する。
【００２４】
３．可動役物の構造について
図６〜図１１は、図２に示す可動役物２４の構造の詳細を示すものである。図６は、可動役物を分解した斜視図である。図７は、図６に示す発光ユニットを分解した斜視図である。図８（Ａ）は、図６に示す発光ユニットの側面図であり、図８（Ｂ）は、図８（Ａ）に示すＢ−Ｂ線によって切断した断面図であり、図８（Ｃ）は、図８（Ｂ）に示す実線で囲んだ領域を拡大した断面図である。図９（Ａ）は、図８（Ａ）に示すＡ−Ａ線によって切断した断面図であり、図９（Ｂ）は、図９（Ａ）に示す実線で囲んだ領域を拡大した断面図である。図１０（Ａ），（Ｂ）は、図６に示す可動役物を組み立てた状態を示す斜視図である。図１１（Ａ）は、図１０に示す可動役物の側面図であり、図１１（Ｂ）は、図１１（Ａ）に示すＡ−Ａ線によって切断した断面図である。
【００２５】
図６〜図１１に示す可動役物は、回転駆動源としてのモータ４５を有しており、このモータ４５は回転力を出力する出力軸（回転軸）４６を有している（図１１（Ｂ）参照）。また、可動役物は発光ユニット４７を備え、この発光ユニット４７は、基部４８と、棒状の導光部材４９と、導光部材４９の両端に配置された光源としての第１及び第２のＬＥＤ５０，５１とを有している（図８及び図９参照）。
【００２６】
基部４８の先端側にはひよこ形状の装飾体６１が取り付けられている。また、基部４８の一端面４８ａには第１のリング状摺動溝４８ｂが設けられており（図９（Ａ）参照）、第１のリング状摺動溝４８ｂはモータの出力軸４６に対して垂直面に沿って設けられている。また、基部４８の他端面４８ｃには第２のリング状摺動溝４８ｄが設けられており（図７参照）、第２のリング状摺動溝４８ｄはモータの出力軸４６に対して垂直面に沿って設けられている。
【００２７】
また、基部４８の他端面４８ｃには一線状の収容溝４８ｅが設けられており、この収容溝４８ｅは第１及び第２のＬＥＤ５０，５１と棒状の導光部材４９を収容するための溝である。収容溝４８ｅは、第２のリング状摺動溝４８ｄより奥側の深い位置に設けられ、且つ第２のリング状摺動溝４８ｄの一部に繋げられている。収容溝４８ｅの一端近傍は第２のリング状摺動溝４８ｄの外周より内側に設けられ、収容溝４８ｅの他端は第２のリング状摺動溝４８ｄの外側で且つ装飾体６１の側に向かって延伸して設けられている。
第２のリング状摺動溝４８ｄと収容溝４８ｅの位置関係を上記のようにした理由は次のとおりである。第２のリング状摺動溝４８の外周の外側に収容溝４８ｅを設けた場合に比べて、基部４８の基端側の直径を小さくして基部４８の基端側をコンパクトに形成することができる。また、その他の理由は、収容溝４８ｅは基部４８の外方に向かって開口されているが、収容溝４８ｅの一端近傍を第２のリング状摺動溝４８ｄの外周より内側に設けることにより、導光部材４９の基端と第１のＬＥＤ５０が遊技者から見えにくくするためである。
また、収容溝４８ｅの深さを、収容溝４８ｅに収容された棒状の導光部材４９が、第２のリング状摺動溝４８ｄに挿入された第２の摺動リング６０（図６参照）の摺動の補助になるような深さとすることが好ましい。具体的には、収容溝４８ｅに棒状の導光部材４９を収容したときに、導光部材４９の前面側が収容溝４８ｅに面一か、僅かだけ奥側となるような収容溝４８ｅの深さとすることが好ましい。
また、収容溝４８ｅは第２のリング状摺動溝４８ｄの２個所を分断する位置に形成されている（図８（Ａ）参照）。これにより、第２の摺動リング６０が第２のリング状摺動溝４８ｄ内で３点支持され、その結果、第２の摺動リング６０を第２のリング状摺動溝４８ｄ内で摺動し易くすることができる。尚、収容溝４８ｅは、第２のリング状摺動溝４８ｄの２箇所を分断する位置に形成されることが好ましいが、１箇所を分断する位置に形成されても良い。
【００２８】
基部４８の収容溝４８ｅにＤカットされた透明の棒状の導光部材４９が収容され、この収容溝４８ｅ内であって導光部材４９の基端側に第１のＬＥＤ５０が配置され、導光部材４９の先端側に第２のＬＥＤ５１が配置されると、第１及び第２のＬＥＤ５０，５１から発せられる光が導光部材４９の長手方向に導かれる。そして、導光部材４９の底面には山ギリ４９ａのローレット加工が施されているため、ＬＥＤからの光が乱反射して棒状の導光部材４９が全体的に発光しているように見せることができる（図８及び図９参照）。
【００２９】
また、基部４８の収容溝４８ｅに導光部材４９を収容すると、導光部材４９の長手方向がモータの出力軸４６に対して垂直面と平行になるようになっている。また、基部４８の収容溝４８ｅの内面を白色で反射率の高い樹脂で形成し、この収容溝４８ｅに導光部材４９を収容することにより、収容溝４８ｅが開口された面以外から漏れる光を再び導光部材に反射させることができ、その結果、前記開口された面からの発光量を増やす効果が得られる（図７参照）。
【００３０】
また、可動役物は、ケースとしての第１及び第２の保持部材５２，５３を備えている。第１の保持部材５２は、前記第１のリング状摺動溝４８ｂに対向して且つ沿うように設けられた第３のリング状摺動溝５２ａを有している。第２の保持部材５３は、前記第２のリング状摺動溝４８ｄに対向して且つ沿うように設けられた第４のリング状摺動溝５３ａを有している（図６及び図１１参照）。
【００３１】
図６〜図１１に示す可動役物は上述したような各構成部品を有しているため、各構成部品を容易に組み付けることができる。また、本実施の形態のように収容溝４８ｅの一端近傍を第２のリング状摺動溝４８ｄの外周より内側に設けても、収容溝４８ｅの一端近傍を第２のリング状摺動溝４８ｄの外周より外側に設けた場合に比べて遜色なく組み付けが可能である。
詳細には、第１及び第２のＬＥＤ５０，５１を有する導光部材４９を基部４８の収容溝４８ｅに収容し、第１の保持部材５２における第３のリング状摺動溝５２ａ内に第１の摺動リング５８の一方端側を挿入し、発光ユニット４７における基部４８の第１のリング状摺動溝４８ｂ内に第１の摺動リング５８の他方端側を挿入し、基部４８の第２のリング状摺動溝４８ｄ内に第２の摺動リング６０の一方端側を挿入し、第２の保持部材５３における第４のリング状摺動溝５３ａ内に第２の摺動リング６０の他方端側を挿入し、そして、基部４８が有する十字型のブッシュ４６ａにモータの出力軸４６を圧入する。このブッシュ４６ａに対応する基部４８の受け側（十字型に対応した形状）には、ブッシュ４６ａとの間の回転方向（出力軸の径方向）にクリアランスが設けられている。これにより、発光ユニット４７の基部４８は、第１の保持部材５２に第１の摺動リング５８によって保持されるとともに第２の保持部材５３に第２の摺動リング６０によって保持され、その結果、モータの出力軸４６に基部４８等の重量がかかることを抑制しながら、発光ユニット４７の基部４８はモータの出力軸４６に対して回転可能となるように組み付けられる。
【００３２】
上記実施の形態による可動役物によれば、発光ユニット４７の基部４８を、第１及び第２の保持部材５２，５３に第１及び第２の摺動リング５８，６０によって保持することにより、従来技術に比べてモータの出力軸４６にかかる負荷を低減することができる。その結果、出力軸４６が傾斜することを抑制できる。
【００３３】
また、発光ユニット４７の基部４８のブッシュ４６ａにモータの出力軸４６を圧入するとしたが、仮に発光ユニット４７の基部４８にモータの出力軸４６を直接圧入した場合、出力軸４６に対して発光ユニット４７の長手方向が垂直に装着されるのが好ましいが、完全に垂直に装着するのは難しい。もし出力軸４６に対して発光ユニット４７の長手方向が垂直よりやや傾斜しているとすると、発光ユニット４７を回転させた際に第１及び第２の保持部材５２，５３に接触して回転が停止したり、発光ユニット４７の先端のひよこ形状の装飾体６１が周辺の構造物に接触することになる。このようなことを防止するために、発光ユニット４７の基部４８と第１及び第２の保持部材５２，５３との間に第１及び第２の摺動リング５８，６０を配置することで、前記傾斜を矯正することが可能となる。つまり、第１及び第２の摺動リング５８，６０を、第１及び第２の保持部材５２，５３それぞれと基部４８の第１及び第２のリング状摺動溝４８ｂ，４８ｄとの間にフリーの状態で挿入することにより、第１及び第２の摺動リング５８，６０と第１及び第２のリング状摺動溝４８ｂ，４８ｄによって発光ユニットの基部４８の傾斜を矯正しながら回転させることができる。これはモータの負荷にならないように働く。よって、回転の停止を防止し、発光ユニットの先端の振れを抑制することができる。
そして、さらには、前述したように基部４８が有するブッシュ４６ａにモータの出力軸４６を圧入し、ブッシュ４６ａに対応する基部４８の受け側にブッシュ４６ａとの間のクリアランスを設けることで、ブッシュ４６ａに対するモータの出力軸４６の傾斜が起因となる発光ユニット４７の傾斜をさらに抑制することができる。
【００３４】
尚、本発明は上記の実施の形態に限定されず、本発明の主旨を逸脱しない範囲内で種々変更して実施することが可能である。
基部４８が有するブッシュ４６ａに出力軸４６を挿入したが、ブッシュ４６ａを用いること無く、出力軸４６を断面Ｄ状に形成し、基部４８の受け側に出力軸４６と対応した断面Ｄ状の軸穴を設け、該軸穴に出力軸４６が挿入された状態で出力軸４６と該軸穴との間にクリアランスが設けられていても良い。
【図面の簡単な説明】
【００３５】
【図１】本発明の実施の形態による遊技盤を示す前面図。
【図２】図１に示す遊技盤の可動役物を取り付けた部分を拡大した図。
【図３】本発明の実施の形態による遊技機の全体構成を示す前面図。
【図４】本発明の実施の形態による遊技機の全体構成を示す後面図。
【図５】図１〜図３に示す遊技機の制御部を示すブロック図。
【図６】可動役物を分解した斜視図。
【図７】図６に示す発光ユニットを分解した斜視図。
【図８】（Ａ）は、図６に示す発光ユニットの側面図、（Ｂ）は、（Ａ）に示すＢ−Ｂ線によって切断した断面図、（Ｃ）は、（Ｂ）に示す実線で囲んだ領域を拡大した断面図。
【図９】（Ａ）は、図８（Ａ）に示すＡ−Ａ線によって切断した断面図、（Ｂ）は、（Ａ）に示す実線で囲んだ領域を拡大した断面図。
【図１０】図６に示す可動役物を組み立てた状態を示す斜視図。
【図１１】（Ａ）は、図１０に示す可動役物の側面図、（Ｂ）は、（Ａ）に示すＡ−Ａ線によって切断した断面図。
【符号の説明】
【００３６】
２４…可動役物、４５…モータ、４６…出力軸（回転軸）、４７…発光ユニット、４８…基部、４８ｂ…第１のリング状摺動溝、４８ｄ…第２のリング状摺動溝、４８ｅ…収容溝、４９…棒状の導光部材、５０…第１のＬＥＤ、５１…第２のＬＥＤ、５２…第１の保持部材、５２ａ…第３のリング状摺動溝、５３…第２の保持部材、５３ａ…第４のリング状摺動溝、５８…第１の摺動リング、６０…第２の摺動リング
【図１】
2008295627.tif 000003
【図２】
2008295627.tif 000004
【図３】
2008295627.tif 000005
【図４】
2008295627.tif 000006
【図５】
2008295627.tif 000007
【図６】
2008295627.tif 000008
【図７】
2008295627.tif 000009
【図８】
2008295627.tif 000010
【図９】
2008295627.tif 000011
【図１０】
2008295627.tif 000012
【図１１】
2008295627.tif 000013